(57)【要約】【課題】  部品追加なく、且つ、簡単な構造でＦＰＣループ部と基板実装部品の接触によるＦＰＣの損傷、断線を防止する構造の基板ユニットを持つディスク装置を提供する。【解決手段】  本願のディスク装置は、ヘッドアンプ回路を搭載したベース部と、このベース部と略同形状でヘッドの信号を装置外部に入出力可能とするコネクタが搭載されたカバー部と、ベース部から延出しキャリッジに固定されヘッドと電気的に接続されたＦＰＣループ部と、ベース部より延出しベース部とカバー部を重ねて固定する際の固定機能を有するフック部と、カバー部より延出しフック部を通す通孔を有するフック固定部とを有する基板ユニットとを有し、フック部とフック固定部が基板ユニットの筐体取り付け面と略並行でＦＰＣループ部に接触しないように配置される。【選択図】      図３
2007087491.tif 000002
【特許請求の範囲】
【請求項１】
筐体内に配置されたディスク状の記録媒体に対して情報の記録再生を行なうヘッドと、
前記ヘッドを移動自在に支持すると共に前記ヘッドを前記記録媒体面上を半径方向に移動させるキャリッジと、
前記ヘッドの信号を増幅するヘッドアンプ回路を搭載したベース部と、前記ベース部と略同形状で前記ヘッドの信号を装置外部に入出力可能とするコネクタとを有するカバー部と、前記ベース部から延出し前記キャリッジに固定され前記ヘッドと電気的に接続されたＦＰＣループ部と、前記ベース部より延出し、前記ベース部と前記カバー部を重ねて固定する際の固定機能を有するフック部と、前記カバー部より延出し、前記フック部を通す通孔を有するフック固定部とを有する基板ユニットとを有し、
前記フック部と前記フック固定部が前記基板ユニットの前記筐体取り付け面と略並行で、前記ＦＰＣループ部に接触しないように配置される
ことを特徴とするディスク装置。
【請求項２】
前記ベース部には前記ベース部に接合された金属製のベース部補強板と、前記カバー部には前記カバー部に接合された金属製のカバー部補強板とがそれぞれ設けられ、
前記フック部は前記ベース部補強板から延出し、前記フック固定部は前記カバー部補強板から延出するとともに、
前記フック部と前記フック固定部が前記基板ユニットの前記筐体取り付け面と略並行で、前記ＦＰＣループ部に接触しないように配置される
ことを特徴とする請求項１に記載のディスク装置。
【請求項３】
筐体内に配置されたディスク状の記録媒体に対して情報の記録再生を行なうヘッドと、
前記ヘッドを移動自在に支持すると共に前記ヘッドを前記記録媒体面上を半径方向に移動させるキャリッジと、
前記ヘッドの信号を増幅するヘッドアンプ回路を搭載したベース部と、前記ベース部と略同形状で前記ヘッドの信号を装置外部に入出力可能とするコネクタとを有するカバー部と、前記ベース部から延出し前記キャリッジに固定され前記ヘッドと電気的に接続されたＦＰＣループ部と、前記ベース部より延出し、前記ベース部と前記カバー部を重ねて固定する際の固定機能を有するフック部と、前記カバー部より延出し、前記フック部を係合するＬ字形状のフック固定部とを有する基板ユニットとを有し、
前記フック部と前記フック固定部が前記基板ユニットの前記筐体取り付け面と略並行で、前記ＦＰＣループ部に接触しないように配置される
ことを特徴とするディスク装置。
【請求項４】
前記ベース部には前記ベース部に接合された金属製のベース部補強板と、前記カバー部には前記カバー部に接合された金属製のカバー部補強板とがそれぞれ設けられ、
前記フック部は前記ベース部補強板から延出し、前記フック固定部は前記カバー部補強板から延出するとともに、
前記フック部と前記フック固定部が前記基板ユニットの前記筐体取り付け面と略並行で、前記ＦＰＣループ部に接触しないように配置される
ことを特徴とする請求項３に記載のディスク装置。
【発明の詳細な説明】
【技術分野】
【０００１】
この発明は、ディスク装置内のヘッドと電子部品を繋ぐ基板ユニットの構造に関し、特に、基板ユニットからキャリッジへ延出するＦＰＣループ部の損傷を防止する構造の基板ユニットを搭載したディスク装置に関する。
【背景技術】
【０００２】
磁気ディスク装置等ののディスク装置に用いられるヘッドスタックアッセンブリ（以下、ＨＳＡと称する）には、記録再生ヘッドからの信号と、ボイスコイルモータ（以下、ＶＣＭと称する）への駆動電流を伝達するためのフレキシブルプリント基板（以下、ＦＰＣと称する）が配線されている。
【０００３】
ＦＰＣは、ＨＳＡの回転動作に及ぼす影響力を極力小さくするように引き回す必要があり、また、ＨＳＡが繰り返し回転動作することにより断線が起こらないように、構造ができるだけシンプルであることが望ましい。
【０００４】
近年、ＨＤＤの小型化に伴い、これに搭載される部品も小型化されてきてはいるが、ＨＤＤの外形サイズが小型化されてきている割合に比べて、これに搭載されるヘッドアンプやコネクタ等の実装部品は比例して小さくなっているわけではない。従って、これらの取り付け状態でのＦＰＣループ部と本体の隙間が非常に狭くなり、取り付け時にこのＰＦＣループが損傷する可能性も出てきている。
【０００５】
ＦＰＣループ部と基板実装部品の接触によるＦＰＣの損傷、断線を防止する構造として、ＦＰＣが接触するプリント回路基板の摺動部をシールド板で覆うことで、その損傷、断線防止をしている構造を開示した先行技術が知られている（例えば、特許文献１参照）。
【０００６】
しかし、この先行技術では、シールド板のような新たな構造物をわざわざ付加しているため、構造が複雑化しており、不要な取り付け作業と費用が発生する可能性がある。
【特許文献１】特開２００３−３６６１４公報（図１、要約）
【発明の開示】
【発明が解決しようとする課題】
【０００７】
本発明の目的は、簡単な構造でＦＰＣループ部と基板実装部品の接触によるＦＰＣの損傷、断線を防止する構造の基板ユニットを持つディスク装置を提供することにある。
【課題を解決するための手段】
【０００８】
上記目的を達成するため、本発明のディスク装置は、筐体内に配置されたディスク状の記録媒体に対して情報の記録再生を行なうヘッドと、前記ヘッドを移動自在に支持すると共に前記ヘッドを前記記録媒体面上を半径方向に移動させるキャリッジと、前記ヘッドの信号を増幅するヘッドアンプ回路を搭載したベース部と、前記ベース部と略同形状で前記ヘッドの信号を装置外部に入出力可能とするコネクタとを有するカバー部と、前記ベース部から延出し前記キャリッジに固定され前記ヘッドと電気的に接続されたＦＰＣループ部と、前記ベース部より延出し、前記ベース部と前記カバー部を重ねて固定する際の固定機能を有するフック部と、前記カバー部より延出し、前記フック部を通す通孔を有するフック固定部とを有する基板ユニットとを有し、前記フック部と前記フック固定部が前記基板ユニットの前記筐体取り付け面と略並行で、前記ＦＰＣループ部に接触しないように配置されることを特徴とする。
【０００９】
上記発明によれば、非常に簡単な構造で、且つ、新たな部品を追加することなく、ＦＰＣループ部と基板実装部品の接触によるＦＰＣの損傷、断線を防止する構造の基板ユニットを持つディスク装置を提供することが可能となる。
【発明の効果】
【００１０】
この発明のディスク装置は、上記のような構成および作用を有しているので、非常に簡単な構造で、且つ、新たな部品を追加することのなく、ＦＰＣループ部と基板実装部品の接触によるＦＰＣの損傷、断線を防止する構造の基板ユニットを持つディスク装置を提供することができる。
【発明を実施するための最良の形態】
【００１１】
以下、図面を参照しながら、この発明の実施の形態に係るディスク装置として、ハードディスクドライブ（以下、ＨＤＤと称する）について詳細に説明する。
（第１の実施形態）
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴは、収納するディスクの枚数に応じて、例えば、３．３ｍｍあるいは５ｍｍ程度に設定されている。
【００１２】
図２ないし図５に示すように、筐体１０は、互いにほぼ等しい寸法に形成された第１シェル１０ａおよび第２シェル１０ｂにより構成されている。第１および第２シェル１０ａ、１０ｂは、それぞれ磁性体材料によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の密閉された筐体１０が構成されている。
【００１３】
第１シェル１０ａの底面は矩形状の実装面１１を形成している。実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１４】
筐体１０内において、筐体の周縁部には複数の支持ポスト１８が設けられている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１５】
筐体１０内には、ディスク状の媒体として機能する例えば、直径０．８５インチの磁気ディスク２０、この磁気ディスクを支持および回転させるスピンドルモータ２２、磁気ディスクに対して情報の書き込み、読み出しを行なう磁気ヘッド２４、磁気ディスク２０に対して磁気ヘッドを移動自在に支持したキャリッジ２６（アクチュエータ）、キャリッジを回動および位置決めする駆動モータとしてのボイスコイルモータ（以下、ＶＣＭと称する）２８、磁気ヘッドが磁気ディスクの周縁部に移動した際、磁気ヘッドを磁気ディスクから離間した位置にアンロードして保持拘束するランプロード機構３０、キャリッジを退避位置に保持するラッチ機構３２、およびヘッドＩＣ等を有する基板ユニット８等が収納されている。
【００１６】
磁気ヘッド２４は、空気軸受面を有しており、回転する磁気ディスク２０上を浮上しながら滑らかに移動することができる。しかし、非回転の磁気ディスク２０と磁気ヘッド２４が対向すると、磁気ディスク２０上に記録された情報を損傷する可能性がある。
【００１７】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１８】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の周縁部を保持している。これにより、磁気ディスク２０はロータに固定され、ロータと一体的に回転可能に支持されている。
【００１９】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００２０】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００２１】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２２】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上に位置する動作位置との間を回動し、磁気ヘッド２４は磁気ディスク２０の所望のトラック上に位置決めされる。図３に示す２つのストッパ１３０によりキャリッジ２６の可動範囲は制限される。
【００２３】
第１シェル１０ａに固定されたラッチ機構３２は、退避位置に移動したキャリッジ２６をラッチ（係止）し、ＨＤＤが衝撃等の外力を受けた際、キャリッジ２６が退避位置から作動位置へ移動することを防止する。
【００２４】
ランプロード機構３０は、第１シェル１０ａの内面に固定され磁気ディスク２０の周縁部に対向したランプ部材７０と、サスペンション６０の先端から延出し係合部材として機能するタブ７２と、を備えている。ランプ部材７０は樹脂などで金型成型され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行なう。キャリッジ２６が退避位置まで回動すると、タブ７２はランプ部材７０のランプ面７３上に支持され、磁気ヘッド２４は磁気ディスク２０の表面から離間した状態に保持される。
【００２５】
基板ユニット８は、フレキシブルプリント回路基板により形成され、ヘッドＩＣ９０と複数のリトラクト用コンデンサ１００を搭載したベース部８１とこのベース部８１と略同形状でステンレス等の金属で形成され、ベース部８１のヘッドＩＣ９０搭載面と反対の面に接合されたベース部補強板８１ａと、ベース部８１と略同形状で、磁気ヘッド２４の信号を装置外部に入出力可能なコネクタ８７を有するカバー部８２とこのカバー部８２と略同形状でステンレス等の金属で形成され、カバー部８２のコネクタ８７搭載面の反対の面に接合されたカバー部補強板８２ａを持っている。
【００２６】
このベース部８１及びベース部補強板８１ａとカバー部８２及びカバー部補強板８２ａにはそれぞれ取り付け用透孔８５ａ〜８５ｄが設けられ（ベース部８１側には取り付け用透孔８５ａと８５ｃが設けられ、カバー部８２側には取り付け用透孔８５ｂと８５ｄが設けられている）、この透孔８５ａ〜８５ｄにネジ１８を通し、これらベース部８１及びベース部補強板８１ａとカバー部８２及びカバー部補強板８２ａが第１シェル１０ａの内面に固定されている。
【００２７】
基板ユニット８はベース部８１から延出したＦＰＣループ部８３を有している。ＦＰＣループ部８３の延出端は、キャリッジ２６の軸受組立体５２近傍に接続され、更に、アーム５８およびサスペンション６０上に設けられた図示しないケーブルを介して磁気ヘッド２４に電気的に接続されている。このＦＰＣループ部８３はベース部８１から９０度折り曲げられ、ベース部補強板８１ａから延出したＦＰＣループ部補強板８３ａによりこの折り曲げられた状態を保持している。
【００２８】
また、ベース部８１に接合されたベース部補強板８１ａの一部からフック部８８が延出しており、後述のフック固定部８９の通孔８９ａにこれを通して引っ掛ける構造を取ってベース部８１とカバー部８２を折り曲げ固定している。
【００２９】
基板ユニット８のカバー部８２には制御回路基板１２と接続するためのコネクタ８７が実装されている。このコネクタ８７は、第１シェル１０ａに形成された開孔を介して第１シェルの実装面１１に露出している。また、カバー部８２に接合されたカバー部補強板８２ａの一部からフック固定部８９が延出している。このフック固定部８９には、前述のベース部補強板８１ａから延出したフック部８８を通す通孔８９ａが設けられている。
【００３０】
すなわち、ベース部８１とカバー部８２を折り曲げ部８ａで折り返し重ねたときに、ベース部８１のフック部８８がカバー部８２のフック固定部８９の通孔８９ａを通した状態で固定された状態になる。このとき、フック部８８とフック固定部８９は、ともにベース部８１及びベース部補強板８１ａ、カバー部８２及びカバー部補強板８２ａからなる基板ユニット８が筐体１０を構成する第１シェル１０ａに取り付けられている面、即ち取り付け面と略並行になっており、なおかつ、ＦＰＣループ部９３に接触、干渉しないように配置される構造となっている。
【００３１】
図２および図４に示すように、プリント回路基板からなる制御回路基板１２は筐体１０の実装面１１とほぼ等しい長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。制御回路基板１２の内面上、つまり、筐体１０と対向する面上には、複数の電子部品７４、およびコネクタ７１が実装されている。また、制御回路基板１２にはＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子７５が形成されている。
【００３２】
上記構成の制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００３３】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００３４】
以下、この発明の第１の実施形態に係るフレキシブルプリント回路基板で形成された基板ユニット８が有するＦＰＣループ部８３の干渉防止構造について、図６乃至図９を参照して、詳細に説明する。
図６、図７は本実施形態に係る基板ユニット８のＨＤＤへの実装状態と組み立て方法を示している。
図６（Ａ）、（Ｂ）に示すように、基板ユニット８にはＨＤＤ外部に設けられた制御回路基板１２側と接続するコネクタ８７を有するカバー部８２と、ヘッドＩＣ９０、コンデンサ１００が実装されるベース部８１及びベース部補強板８１ａを折り曲げ部８ａにて折り曲げて重ね、カバー部８２の裏面にはステンレス等の金属からなるカバー部補強板８２ａが、ベース部８１の裏面には同じくステンレス等の金属からなるベース部補強板８１ａが貼り付け、接合されている。
【００３５】
カバー部補強板８２ａはその本体から延出するフック固定部８９を有し、このフック固定部８９にはベース部補強板８１ａから延出するフック部８８を通すための通孔８９ａが設けられている。
【００３６】
ベース部補強板８１ａにはその本体から延出するフック部８８が設けられており、このフック部８８はベース補強板８１ａのとの接合部分に折り曲げ部８８ａが設けられ、ベース部補強板８１ａに対して直角方向に折り曲げ可能となっている。
【００３７】
また、ベース部８１からＦＰＣループ部８３がヘッドアーム方向に延びているが、このベース部８１とＦＰＣループ部８３の接続部は略９０度に折り曲げられており、ベース部８１の下部に設けられた金属製のベース部補強板８１ａの本体から延出したＦＰＣループ部補強板８３ａにより折り曲げ状態が維持されている。なお、このＦＰＣループ部８３とＦＰＣループ部補強板８３ａは、フック部８８とは逆方向に９０度折り曲げている。
【００３８】
この状態でカバー部８２の表面とベース部８１の表面がほぼ対称となる部分に設けた折り曲げ部８ａの位置で図６（Ａ）の矢印Ｐの方向に約１８０度折り返す。
図７（Ａ）は、カバー部８２とベース部８１を折り返した状態であり、カバー部補強板８２ａのフック固定部８９に設けた通孔８９ａにベース部補強板８１ａから延出して設けたフック部８８を通した状態にする。
【００３９】
図７（Ｂ）は図７（ａ）の状態からフック部８８を基台である第１シェル１０ａとの取り付け面であるコネクタ８７側の面８２と水平な方向（図７（Ｂ）の矢印Ｑ方向）に倒す。これにより折り曲げ部８ａで折り返したＦＰＣのベース部８１とカバー部８２が自身の弾性力で元に戻ろうとする動作をベース部補強板８１ａのフック部８８が、カバー部補強板８２ａのフック固定部８９に設けられた通行８９ａの稜線に引っ掛かって抑止することができる。
【００４０】
図８は本実施形態に置ける基板ユニット８の取り付け状態を示す図であり、ヘッドサスペンションアッセンブリのサスペンション６０が退避位置であるランプ部材７０上にあっても、基板ユニット８から延出するＦＰＣループ９３の屈曲部はベース部補強板８１のフック部８８とカバー部補強板８２のフック固定部８９の上側を通り、これらに干渉せずに実装される。
【００４１】
即ち、本実施形態では、ベース部補強板８１のフック部８８とカバー部補強板８２のフック固定部８９が基板ユニット８の取り付け面と略並行なるようにしているため、ＦＰＣループ９３の屈曲部とこれらが干渉せず、断線等を防止することが可能となるものである。
【００４２】
また、基台である第１シェル１０ａの底面と基板ユニット８の第１シェル１０ａに対向する取り付け面との間にこれらベース部補強板８１のフック部８８とカバー部補強板８２のフック固定部８９を配置することが可能となるため、小型で小スペースのＨＤＤにおいても、基台である第１シェル１０ａと基板ユニット８の取り付け高さ内でこれらを実装することが可能であり、装置全体の厚みを厚くすることなくその実装が可能となる。
【００４３】
また、図９は図８に対しサスペンション６０に搭載されたヘッドを２本以上有するＨＤＤにおけるヘッドサスペンションアッセンブリの組み立て状態示した図で、ヘッドサスペンションアッセンブリのサスペンション６０にはランプ部材７０にヘッド２４を案内するための治具１０１をヘッド２４の上下間に挿入してから基台である第１シェル１０ａに取り付ける。
【００４４】
この際、図９に示しように本実施形態においては、ベース部補強板８１のフック部８８とカバー部補強板８２のフック固定部８９が基板ユニット８の取り付け面と略並行に延びているため、治具１０１とこれらが干渉することなくヘッドサスペンションアッセンブリの組み立てが可能となるものである。
【００４５】
（第２の実施形態）
図１０（Ａ）、（Ｂ）に本発明の第２の実施形態に係る基板ユニット８の斜視図を示しその構造を説明する。図１０（Ａ）、（Ｂ）に示した本実施形態は図７（Ａ）、（Ｂ）の第１の実施形態と対比したものである。
【００４６】
図１０（Ａ）において、基板ユニット８のカバー部８２にはコネクタ７８が実装される面の裏面にカバー部補強板８２ａが、このカバー部補強板８２ａと対向する面にはベース部補強板８１ａが貼り付けられいる。また、ベース部補強板８１ａには平面に延びた矩形で突起状のフック部８８を設け、カバー部補強板８２ａには平面に延びたＬ字状の突起として形成されたフック固定部８９を設ける。  図１０（Ａ）、（Ｂ）の第２の実施形態においても上述の第１の実施形態と同様に折り曲げ部８ａにて基板ユニット８のベース部８１とカバー部８２をそれぞれ１８０度折り返えした状態にあるが、上述の第１の実施形態と異なる点は、図１０（Ａ）の矢印Ｒ方向に捻りを入れたことである。
【００４７】
更に図１０（Ｂ）に示すように矩形状のフック部８８を矢印Ｓ方向に持ち上げながら（弾性変形させながら）、矢印Ｔ方向に捻りを戻し、矩形状のフック部８８がＬ字状のフック固定部８９の切り欠き部８９ａにはまり込み、フック固定部８９の上に重なるようにする。この時、フック固定部８９もフック部８８の弾性力を受け、多少弾性変形しながら固定状態を維持する。
【００４８】
その際、上述の第１の実施形態と同様に、ヘッドサスペンションアッセンブリのサスペンション６０が退避位置であるランプ部材７０上にあっても、基板ユニット８から延出するＦＰＣループ９３の屈曲部はベース部補強板８１のフック部８８とカバー部補強板８２のフック固定部８９の上側を通り、これらに干渉せずに実装される。
【００４９】
即ち、本実施形態でも上述の第１の実施形態と同様に、ベース部補強板８１のフック部８８とカバー部補強板８２のフック固定部８９が基板ユニット８の取り付け面と略並行なるようにしているため、ＦＰＣループ９３の屈曲部とこれらが干渉せず、断線等を防止することが可能となるものである。
【００５０】
これにより、上述の第１の実施形態と同様の効果が得られるとともに、上述の第１の実施形態に比べ、大きな曲げ形状を必要としないシンプルな補強板で実現できるため、更に組み立ての作業性が向上する。
【００５１】
なお、図１０（Ａ）の矢印Ｒ方向の捻り量は、ベース部８１とカバー部８２を折り返した際にフック部８８とフック固定部８９が平面状で重ならない位置まで必要とするが、２枚の補強板８１ａ、８２ａの貼り付け間隔によりこの捻り量は任意に設定することが可能である。
【００５２】
以上述べたように構成されたディスク装置では、このような構成をとることにより、非常に簡単な構造で、且つ、新たな部品を追加することのなく、ＦＰＣループ部と基板実装部品の接触によるＦＰＣの損傷、断線を防止する構造の基板ユニットを持つディスク装置を提供することができる。
【図面の簡単な説明】
【００５３】
【図１】本発明の実施の形態に係るＨＤＤを示す斜視図。
【図２】図１のＨＤＤの分解斜視図。
【図３】図１のＨＤＤの筐体および内部構造を示す平面図。
【図４】図１のＨＤＤの制御回路基板側を示す斜視図。
【図５】図１の線Ａ−Ａに沿ったＨＤＤの断面図。
【図６】本発明の第１の実施形態に係るフック及びフック固定部を持つＦＰＣ構造の組み立て図。
【図７】本発明の第１の実施形態に係るフック及びフック固定部を持つＦＰＣの斜視図。
【図８】本発明の第１の実施形態に係るＦＰＣをＨＤＤに取り付けた状態の正面図。
【図９】本発明の第１の実施形態に係るＦＰＣを持つＨＤＤへのＨＳＡ取り付け工程を示す図。
【図１０】本発明の第２の実施形態に係るフック及びフック固定部を持つＦＰＣの斜視図。
【符号の説明】
【００５４】
１０……筐体
１０ａ……第１シェル
１０ｂ……第２シェル
１２……制御回路基板
１６……シール材
２０……磁気ディスク
２６……キャリッジ
２８……ＶＣＭ
３２……ラッチ機構
８……基板ユニット
８ａ……折り曲げ部
８１……ベース部
８１ａ……ベース部補強板
８２……カバー部
８２ａ……カバー部補強板
８３……ＦＰＣループ部
８３ａ……ＦＰＣループ部補強板
８５……透孔
８７……コネクタ
８８……フック部
８８ａ……折り曲げ部
８９……フック固定部
８９ａ……通孔
９０……ヘッドＩＣ
１００……コンデンサ
【図１】
2007087491.tif 000003
【図２】
2007087491.tif 000004
【図３】
2007087491.tif 000005
【図４】
2007087491.tif 000006
【図５】
2007087491.tif 000007
【図６】
2007087491.tif 000008
【図７】
2007087491.tif 000009
【図８】
2007087491.tif 000010
【図９】
2007087491.tif 000011
【図１０】
2007087491.tif 000012